(57)【特許請求の範囲】
【請求項１】
遊技盤面に設けた遊技領域の端部付近に配設される遊技機における装飾装置において、
前記遊技領域の前面の端部付近に複数個並設される光源と、前記複数個の光源の前方を除く周囲を包囲するように前記遊技領域に取り付けられる装飾カバー枠と、前記複数個の光源と１対１で対応して前記光源の前面を覆うように前記装飾カバー枠の前面に取り付けられる光透過性樹脂製の複数の装飾カバーとを備え、
前記装飾カバー枠は、前記遊技領域の前面から前方へ突出し、かつ前記光源における前記遊技領域の外側寄り側を包囲する外壁部と、前記外壁部よりも小さく前記遊技領域の前面から前方へ突出し、かつ前記光源における前記遊技領域の中央寄り側を包囲する内壁部とを有し、
前記複数の装飾カバーは、それぞれが対応する前記光源の光を前記遊技領域の前方及び中央方向へ向けて拡散するように、それぞれの前方を向く表面の全体形状が四角錐状であるとともに、表面が前記遊技盤面の中央方向に向くように傾けて配置されることを特徴とする遊技機における装飾装置。
【発明の詳細な説明】
【０００１】
【発明の属する技術分野】
本発明は、遊技盤面に設けた遊技領域に配設される遊技機における装飾装置に関する。
【０００２】
【従来の技術】
例えば、パチンコ機のような遊技機は、遊技盤面の遊技領域の中央部に配置された複数桁(例えば３列)の図柄から構成される識別情報を変動表示可能な表示装置を備えている。そして、所定の確率に基づいて、表示装置に表示された各識別情報が、特賞図柄として、予め定められた表示態様(例えば「１、１、１」)が成立した場合に、特賞状態を生起させ、遊技者に所定の遊技価値を付与するようにしている。
【０００３】
また、上記表示装置以外にも、表示カバーの内部にランプやＬＥＤを有する遊技用部材を遊技盤の端部付近に配設し、ランプやＬＥＤが点灯または点滅することにより、装飾効果を高めるようにしているものもある。
【０００４】
さらに、実開昭６２―１７００７９号公報、及び特開２００１−９５９８７号公報に開示されているように、表示カバー部の内面側にダイヤカット加工を施して、光拡散効果をより高めるようにしたものもある。
【０００５】
【発明が解決しようとする課題】
しかし、上記の従来技術によれば、表示カバー部に、光拡散効果をより高める工夫がなされてはいるものの、単純に、四方八方に光が拡散するだけであって、遊技を行っている遊技者に向けて、光を照射することではない。そのため、遊技機の前面中央に位置する遊技者は、遊技盤面の中央に配設された表示装置や入賞口を注視するだけで、装飾効果に対してはあまり注目を払うことはない。
【０００６】
本発明は、上述のような従来の課題を解決するためになされたもので、その目的は、遊技者に対して、強い印象を与えることにより、遊技の興趣性を向上させるようにした、遊技機における装飾装置を提供することにある。
【０００７】
【課題を解決するための手段】
本発明によると、上記課題は、次のようにして解決される。
遊技盤面に設けた遊技領域の端部付近に配設される遊技機における装飾装置において、前記遊技領域の前面の端部付近に複数個並設される光源と、前記複数個の光源の前方を除く周囲を包囲するように前記遊技領域に取り付けられる装飾カバー枠と、前記複数個の光源と１対１で対応して前記光源の前面を覆うように前記装飾カバー枠の前面に取り付けられる光透過性樹脂製の複数の装飾カバーとを備え、前記装飾カバー枠は、前記遊技領域の前面から前方へ突出し、かつ前記光源における前記遊技領域の外側寄り側を包囲する外壁部と、前記外壁部よりも小さく前記遊技領域の前面から前方へ突出し、かつ前記光源における前記遊技領域の中央寄り側を包囲する内壁部とを有し、前記複数の装飾カバーは、それぞれが対応する前記光源の光を前記遊技領域の前方及び中央方向へ向けて拡散するように、それぞれの前方を向く表面の全体形状が四角錐状であるとともに、表面が前記遊技盤面の中央方向に向くように傾けて配置される。
【０００８】
【発明の実施の形態】
以下、本発明の一実施形態を、図面に基づいて説明する。
図１は、本発明の一実施形態における遊技機の一部分を構成する遊技盤(10)の正面図である。
【０００９】
遊技盤(10)は、外側ガイドレール(11)と内側ガイドレール(12)とによって包囲された円形状の遊技領域(13)を備え、遊技者の操作により、図外の発射装置から発射された遊技球が、遊技領域(13)を転動することにより、遊技が行われる。
【００１０】
なお、遊技領域(13)には、遊技釘が多数配置され、遊技球は、遊技釘に当接することにより、転動することになるが、該遊技釘は、図面簡素化のため省略してある。
【００１１】
遊技領域(13)の中央部には、液晶からなる特別図柄表示装置(14)が配置されている。特別図柄表示装置(14)は、適宜のキャラクタに対して「０」〜「９」の数字で構成される１０種類の左、中、右３列の特別図柄（識別情報）等を表示可能に構成されている。
【００１２】
所定の確率に基づいて、確定表示された各特別図柄が、予め定められた表示態様、例えば「４、４、４」のように同一の数字が揃った場合に、特賞状態を生起させ、後述の変動入賞装置(16)を、遊技者にとって有利な状態に変動させ、遊技者に所定の遊技価値を付与するようになっている。
【００１３】
また、特別図柄表示装置(14)に確定表示された各特別図柄が、「７、７、７」のように奇数で表示された場合には、さらに特賞状態が生起される確率を、特賞状態が所定回数（例えば１回）生起するまで向上させるようにしてある。
【００１４】
この確率向上期間中に、特別図柄表示装置(14)に確定表示された各特別図柄が、再び「７、７、７」のように奇数で表示された場合には、さらに確率向上期間は延長される。
【００１５】
特別図柄表示装置(14)の下方には、特別図柄始動口(15)が配置されている。遊技球が特別図柄始動口(15)に入賞すると、所定の確率に基づいて、特賞状態を生起するか否かが判定され、その判定の結果をもって、特別図柄表示装置(14)の特別図柄を変動させ、その後に所定の図柄を確定表示させる。
【００１６】
遊技領域(13)の下方には、変動入賞装置(16)が配置されている。変動入賞装置(16)は、特賞状態期間中に広幅の扉が前面側に開放され、遊技球が入賞可能な状態となる大入賞口(17)を備えている。
【００１７】
大入賞口(17)の扉が開放されている状態や、開閉を繰り返している状態で、遊技球が入賞可能な状態を、遊技者にとって有利な第１状態という。この第１状態以外の状態、つまり大入賞口(17)の扉が閉鎖されている状態により、遊技球が入賞不可能な状態を、遊技者にとって不利な第２状態という。
【００１８】
その他、遊技領域(13)には、遊技釘とともに遊技球の転動方向を変化させるランプ付き風車(18)、遊技球を遊技盤(10)の裏面に送るアウト口(19)等が配置されている。なお、図外の遊技機本体、つまり発射装置や賞球排出装置は、実施形態の簡素化のため、ここでは省略する。
【００１９】
遊技領域(13)の左右の両端部付近には、装飾装置(１)が配設されている。
図２〜図６は、遊技領域(13)の左端に配設される装飾装置(１)を示し、図２は、正面図、図３は、側面図、図４は、斜視図、図５は、図２におけるＶ−Ｖ線に沿う横断面図、図６は、図２におけるＶＩ−ＶＩ線に沿う縦断面図である。なお、遊技領域(13)の右端に配設される装飾装置(１)は、左端の装飾装置(１)と左右対称形状であり、機能及び性能は、後述する内容と同一であるため、ここでは図面は省略する。
【００２０】
装飾装置(１)は、主に、取付ベース(２)、光源(３)、光源基板(４)、装飾カバー(５)、装飾カバー枠(６)、及び入賞口(７)等から構成されている。
【００２１】
取付ベース(２)は、その上、下部に設けた開口部(８)(８)に図示しないビスを挿入することによって、遊技盤(10)とほぼ同一平面になるように固定されている。
【００２２】
光源(３)は、複数(４つ)のＬＥＤからなり、図示しない制御装置からの制御信号によって、遊技状況に応じた点灯態様を行うようになっている。すなわち、大入賞口(17)が開放している遊技者にとって有利な第１状態、遊技者にとって不利な第２状態、特別図柄表示装置(14)に表示された特別図柄が変動している最中、及び特賞状態が生起される確率が向上している最中は、それぞれ点灯態様が異なるように点灯表示を行うようになっている。これにより、遊技者は、現在の遊技状況を把握することができる。
【００２３】
光源基板(４)は、光源(３)が搭載された制御基板であり、図示しない制御装置と電気的に接続され、配線を介して制御装置からの制御信号を入力して、光源(３)を、所定の点灯態様で点灯表示させるようになっている。
【００２４】
装飾カバー(５)は、光透過性樹脂により形成され、かつ内部に設けた光源(３)を覆うとともに、光源(３)が発する光を透過させて、遊技者に光を視認可能にする。装飾カバー(５)は、上下方向に４個配列されるとともに、１個の光源(３)に対して、１個の装飾カバー(５)が設けられている。
【００２５】
装飾カバー(５)は、主に図２及び図５に示すように、前方を向く表面が複数の斜面を有する多面形状（本実施形態においては、一例としてピラミッド型（四角錐）を示している）をなし、かつ左側部における全長が、遊技領域(13)の中央寄りの右側部における全長よりも高くなって、遊技盤(10)の中央方向に向けて傾くように配置されている。この構成を図５に基づいて、より詳細に説明すると、装飾カバー(５)は、それぞれが対応する光源(３)の光を遊技領域(13)の前方及び中央方向へ向けて拡散するように、前方を向く表面の全体形状が四角錐で、かつ四角錐の頂点(5a)よりも右側（遊技領域(13)の中央寄り側）の表面(5b)が遊技領域(13)の中央側に向けて傾斜するように、装飾カバー枠(５)の内壁部(6b)と外壁部(6a)の間に配置される。
【００２６】
装飾カバー枠(６)は、取付ベース(２)を介して遊技領域(13)に固定され、かつ装飾カバー(５)の外周を包囲して、遊技領域(13)を転動する遊技球が装飾カバー(５)と接触して、装飾カバー(５)が破損することを防止するとともに、意匠を向上させる効果を有している。また、図２、５に示すように、装飾カバー枠(６)は、遊技領域(13)の前面から前方へ突出し、かつ光源(３)における遊技領域(13)の外側寄り側（左側）を包囲する外壁部(6a)と、外壁部(6a)よりも少なく遊技領域(13)の前面から前方へ突出し、かつ光源(３)における遊技領域(13)の中央寄り側（右側）を包囲する内壁部(6b)とを有している。
【００２７】
入賞口(７)は、装飾カバー枠(６)の下部に設けられ、遊技球が入球可能であるとともに、その裏面には、入球した遊技球を検出するための図示略のセンサを取り付けるためのセンサ取付部(９)が設けられている。このように、遊技領域(13)の端部付近に配設される装飾装置(１)に入賞口(７)を設けたことにより、装飾装置(１)に対する遊技者の関心はさらに強くなり、また、発光する装飾装置(１)と入賞装置とを同一部品としたことにより、部品点数の削減が可能になり、取付工程が簡略化される。
【００２８】
装飾装置(１)は以上のように構成されているため、光源(３)が発する光(図５及び図６の破線矢印を参照)は、表面が多面形状の装飾カバー(５)によって拡散され、装飾効果は一層高められる。
【００２９】
また、装飾カバー(５)は、遊技盤(10)の中央方向に向けて傾くように配置されているため、遊技者に表示装置(14)だけを注目させるのではなく、装飾装置(１)にも強い印象を与えて、遊技の興趣性を向上させることができる。さらに、装飾カバー(５)は、複数個を互いに近接して配列されているので、装飾効果はより一層高められている。
【００３０】
光源(３)の発光時には、遊技者側(前面)から見ると、装飾カバー(５)のピラミッド型の表面に光源(３)が擬似的に写しだされる(光源(３)が１個であっても、四角錐であれば、光源が擬似的に４個に見える)ため、少ない光源でも、十分な視覚的効果を発揮させて、コストダウンを図ることが可能になる。
【００３１】
以上、本発明の一実施形態について説明したが、本発明の要旨を逸脱しない範囲内で、上記実施形態に種々の変形、変更を施すことが可能である。例えば、装飾装置(１)を遊技領域(13)の端部付近ではなく、中央部や下部等に配置すること、装飾カバー(５)の表面を四角錐としたが、それ以外の多角錘状または半円柱状に形成すること、光源(３)をＬＥＤとしたが、ランプやＥＬ等に変更すること、入賞口(７)を複数設けること、光源(３)も遊技盤(10)面の中央方向に向けて傾斜して配置させること等が挙げられる。
【００３２】
また、複数列の図柄が予め定められた表示態様となった場合に、大入賞口(17)が開放する遊技機として説明したが、本発明は、図柄が予め定められた特定表示結果となったことにより、所定の入賞口が開放して（遊技者にとって有利な遊技状態）、開放期間中の所定の入賞口に遊技球が入賞した場合に、特定の入賞装置が開放する契機となる遊技機等に対しても、適用可能である。
【００３３】
【発明の効果】
本発明によれば、次のような効果を奏することができる。
請求項１記載の発明によると、遊技領域の端部付近に配設した装飾装置に強い印象を与えることができ、遊技の興趣性を向上させることができる。また、装飾カバーにおける多角錐の表面に光源を擬似的に写しださせることができ、少ない光源でも、十分な視覚的効果を生じさせ、かつコストダウンを図ることが可能になる。さらに、装飾カバーに立体感を生じさせるとともに、少ない光源でも、より視覚的効果を生じさせることができる。
【図面の簡単な説明】
【図１】  本発明における一実施形態を適用した遊技機の一部分を構成する遊技盤の正面図である。
【図２】  遊技用装置の正面図である。
【図３】  遊技用装置の側面図である。
【図４】  遊技用装置の斜視図である。
【図５】  図１におけるＶ−Ｖ線に沿う遊技用装置の断面図である。
【図６】  図１におけるＶＩ−ＶＩ線に沿う遊技用装置の断面図である。
【符号の説明】
(１)装飾装置
(２)取付ベース
(３)光源
(４)光源基板
(５)装飾カバー
(６)装飾カバー枠
(７)入賞口
(８)開口部
(９)センサ取付部
(10)遊技盤
(11)外側ガイドレール
(12)内側ガイドレール
(13)遊技領域
(14)特別図柄表示装置
(15)特別図柄始動口
(16)変動入賞装置
(17)大入賞口
(18)ランプ付き風車
(19)アウト口
【図１】
0004341806.tif 000002
【図２】
0004341806.tif 000003
【図３】
0004341806.tif 000004
【図４】
0004341806.tif 000005
【図５】
0004341806.tif 000006
【図６】
0004341806.tif 000007